(57)【要約】【課題】連結玩具の興趣性を向上させる。【解決手段】連結玩具１０は、他の部品と連結可能な複数の部品（ＬＰ１１、ＭＰ１１、ＳＰ１１〜ＳＰ１４）を備え、複数の部品を連結することにより所定の形象物を表す形態が得られ、複数の部品は、少なくとも第１の空洞部（ＬＰ１１ａ）を有する第１の部品（ＬＰ１１）と第２の空洞部（ＭＰ１１ａ）を有する第２の部品（ＭＰ１１）と第３の部品（ＳＰ１１〜ＳＰ１４）とを含み、第２の部品は、第１の空洞部内に配置された状態とすることが可能であり、第３の部品は、第１の空洞部内に配置された状態とすること、および、第２の空洞部内に少なくとも一部分が配置された状態とすることが可能である。【選択図】図１
2020074872.tif 000002
【特許請求の範囲】
【請求項１】
他の部品と連結可能な複数の部品を備え、当該複数の部品を連結することにより所定の形象物を表す形態が得られる連結玩具であって、
前記複数の部品は、少なくとも第１の空洞部を有する第１の部品と第２の空洞部を有する第２の部品と第３の部品とを含み、
前記第２の部品は、前記第１の空洞部内に配置された状態とすることが可能であり、
前記第３の部品は、前記第１の空洞部内に配置された状態とすること、および、前記第２の空洞部内に少なくとも一部分が配置された状態とすることが可能である、
連結玩具。
【請求項２】
前記第１の部品は、分離可能な複数個の部品から構成される、
請求項１に記載の連結玩具。
【請求項３】
前記第１の部品は、開口部を有する、
請求項１または２に記載の連結玩具。
【請求項４】
前記開口部には、当該開口部を閉塞可能な蓋部品が着脱可能に設けられる、
請求項３に記載の連結玩具。
【請求項５】
前記蓋部品は、前記複数の部品に含まれるその他の部品と連結可能である、
請求項４に記載の連結玩具。
【請求項６】
前記蓋部品は、前記所定の形象物を表す形態をとった状態の前記連結玩具を支持可能な台座部品として使用可能である、
請求項５に記載の連結玩具。
【請求項７】
前記第１の部品は、外観が幾何学形状を成す、
請求項１〜６のいずれか１項に記載の連結玩具。
【請求項８】
前記第１の部品は、外観が転動可能な形状を成す、
請求項１〜６のいずれか１項に記載の連結玩具。
【請求項９】
前記第１の部品は、可動部を有する、
請求項１〜８のいずれか１項に記載の連結玩具。
【請求項１０】
前記第１の部品は、前記複数の部品に含まれるその他の部品を連結可能に取り付ける第１の取付部を有する、
請求項１〜９のいずれか１項に記載の連結玩具。
【請求項１１】
前記第１の部品は１個、前記第２の部品は１個、前記第３の部品は複数個である、
請求項１〜１０のいずれか１項に記載の連結玩具。
【請求項１２】
前記第２の部品は、前記第１の取付部が取り付けられる第１の被取付部および複数の前記第３の部品のいずれかを連結可能に取り付ける第２の取付部の少なくともいずれかを有する、
請求項１０または１１に記載の連結玩具。
【請求項１３】
前記第１の部品は１個、前記第２の部品は複数個、前記第３の部品は複数個である、
請求項１〜１０のいずれか１項に記載の連結玩具。
【請求項１４】
複数の前記第２の部品に含まれるいずれかの部品は、それ以外の前記第２の部品の前記第２の空洞部内に少なくとも一部が配置された状態とすることが可能である、
請求項１３に記載の連結玩具。
【請求項１５】
複数の前記第２の部品はそれぞれ、前記第１の取付部が取り付けられる第１の被取付部、他の前記第２の部品を連結可能に取り付ける第３の取付部および複数の前記第３の部品のいずれかを連結可能に取り付ける第２の取付部の少なくともいずれかを有する、
請求項１３または１４に記載の連結玩具。
【請求項１６】
複数の第３の部品はそれぞれ、前記第１の取付部が取り付けられる第２の被取付部および前記第２の取付部が取り付けられる第３の被取付部のいずれか一方を有する、
請求項１２または１５に記載の連結玩具。
【発明の詳細な説明】
【技術分野】
【０００１】
本発明は、連結可能な複数の部品を備えた連結玩具に関する。
【背景技術】
【０００２】
後記特許文献１には、球状の頭部部品と、当該頭部部品に格納された少なくとも１個の頭部外部品とを含む玩具が開示されている。この玩具は、頭部部品から頭部外部品を取り出した後に、頭部部品に頭部外部品を連結することによって人型の連結形態を得ることができる。
【０００３】
しかしながら、前述の玩具は、頭部部品に全ての頭部外部品をそのまま格納するものであるため、頭部部品に格納できる頭部外部品の数および大きさに制限がかかりやすく、それ故に多種多様な連結形態を得るには不向きである。
【先行技術文献】
【特許文献】
【０００４】
【特許文献１】米国特許出願公開第２０１２／００９４５７１号明細書
【発明の概要】
【発明が解決しようとする課題】
【０００５】
本発明が解決しようとする課題は、多種多様な連結形態を得る場合に有用な連結玩具を提供することにより、連結玩具の興趣性を向上させることにある。
【課題を解決するための手段】
【０００６】
他の部品と連結可能な複数の部品を備え、当該複数の部品を連結することにより所定の形象物を表す形態が得られる連結玩具であって、前記複数の部品は、少なくとも第１の空洞部を有する第１の部品と第２の空洞部を有する第２の部品と第３の部品とを含み、前記第２の部品は、前記第１の空洞部内に配置された状態とすることが可能であり、  前記第３の部品は、前記第１の空洞部内に配置された状態とすること、および、前記第２の空洞部内に少なくとも一部分が配置された状態とすることが可能である。
【発明の効果】
【０００７】
本発明に係る連結玩具は、多種多様な連結形態を得る場合に極めて有用である。
【図面の簡単な説明】
【０００８】
【図１】図１（Ａ）は本発明の第１実施形態に係る連結玩具の連結前状態を示す図、図１（Ｂ）は図１（Ａ）の縦断面図、図１（Ｃ）は図１（Ａ）および図１（Ｂ）の分解図である。
【図２】図２（Ａ）は図１に示した連結玩具の連結手順例を示す図、図２（Ｂ）は同連結玩具の連結後状態を示す図である。
【図３】図３（Ａ）は本発明の第２実施形態に係る連結玩具の連結前状態を示す図、図３（Ｂ）は図３（Ａ）の縦断面図、図３（Ｃ）は図３（Ａ）および図３（Ｂ）の分解図である。
【図４】図４（Ａ）は図３に示した連結玩具の連結手順例を示す図、図４（Ｂ）は同連結玩具の連結後状態を示す図である。
【図５】図５（Ａ）は本発明の第３実施形態に係る連結玩具の連結前状態を示す図、図５（Ｂ）は図５（Ａ）の縦断面図、図５（Ｃ）は図５（Ａ）および図５（Ｂ）の分解図である。
【図６】図６（Ａ）は図５に示した連結玩具の連結手順例を示す図、図６（Ｂ）は同連結玩具の連結後状態を示す図である。
【図７】図７（Ａ）は本発明の第４実施形態に係る連結玩具の連結前状態を示す図、図７（Ｂ）は図７（Ａ）の縦断面図、図７（Ｃ）は図７（Ａ）および図７（Ｂ）の分解図である。
【図８】図８（Ａ）は図７に示した連結玩具の連結手順例を示す図、図８（Ｂ）は同連結玩具の連結後状態を示す図である。
【図９】図９（Ａ）は本発明の第５実施形態に係る連結玩具の連結前状態を示す図、図９（Ｂ）は図９（Ａ）の縦断面図、図９（Ｃ）は図９（Ａ）および図９（Ｂ）の分解図である。
【図１０】図１０（Ａ）は図９に示した連結玩具の連結手順例を示す図、図１０（Ｂ）は同連結玩具の連結後状態を示す図である。
【図１１】図１１（Ａ）は本発明の第６実施形態に係る連結玩具の連結前状態を示す図、図１１（Ｂ）は図１１（Ａ）の縦断面図、図１１（Ｃ）は図１１（Ａ）および図１１（Ｂ）の分解図である。
【図１２】図１２（Ａ）は図１１に示した連結玩具の連結手順例を示す図、図１２（Ｂ）は同連結玩具の連結後状態を示す図である。
【図１３】図１３（Ａ）は本発明の第７実施形態に係る連結玩具の連結前状態を示す図、図１３（Ｂ）は図１３（Ａ）の縦断面図、図１３（Ｃ）は図１３（Ａ）および図１３（Ｂ）の分解図である。
【図１４】図１４（Ａ）は図１３に示した連結玩具の連結手順例を示す図、図１４（Ｂ）は同連結玩具の連結後状態を示す図である。
【図１５】図１５（Ａ）は本発明の第８実施形態に係る連結玩具の連結前状態を示す図、図１５（Ｂ）は図１５（Ａ）の縦断面図、図１５（Ｃ）は図１５（Ａ）および図１５（Ｂ）の分解図である。
【図１６】図１６（Ａ）は図１５に示した連結玩具の連結手順例を示す図、図１６（Ｂ）は同連結玩具の連結後状態を示す図である。
【発明を実施するための形態】
【０００９】
《大部品と中部品と小部品の定義》
本発明に係る連結玩具は、他の部品と連結可能な複数の部品として、体積（外形寸法に基づく体積を指すものとする）が大＞中＞小の関係を有する大部品（第１の部品）と中部品（第２の部品）と小部品（第３の部品）とを含んでいる。大部品と中部品は空洞部（第１の空洞部、第２の空洞部）をそれぞれ有し、中部品は大部品の第１の空洞部内に配置された状態とすることが可能であり、小部品は大部品の第１の空洞部内に配置された状態とすることが可能であるとともに中部品の第２の空洞部内に少なくとも一部分が配置された状態とすることが可能である。
【００１０】
より具体的には、大部品には複数の部品のうちで体積が最も大きな部品が該当し、中部品には複数の部品のうちで体積が大部品の体積よりも小さな上限値と当該上限値よりも小さな下限値との範囲に属する部品が該当し、小部品には複数の部品のうちで体積が前記範囲の下限値未満の部品が該当する。前記範囲の上限値と下限値には大部品およびその空洞部と中部品およびその空洞部と小部品のそれぞれの外形が影響するため、当該上限値と下限値を百分率等の共通数値で表すことはできないが、大部品の空洞部に配置されることが可能な最も大きな部品体積を前記範囲の上限値の目安とすることができ、小部品の少なくとも一部が配置されることが可能な空洞部を有する部品体積を前記範囲の下限値の目安とすることができる。
【００１１】
《第１実施形態》
図１および図２は第１実施形態に係る連結玩具１０に関するものであって、図１（Ａ）および図１（Ｂ）は所定の形象物を表す形態が得られる前の状態（連結前状態）を示し、図２（Ｂ）は所定の形象物を表す形態が得られた後の状態（連結後状態）を示す。以下の説明では、便宜上、連結後状態を示す図２（Ｂ）の手前側を前、奥側を後、左側を右、右側を左、上側を上、下側を下と表記し、図１（Ａ）〜図１（Ｃ）および図２（Ａ）についてもこれらに準じて向きを表記する。
【００１２】
この連結玩具１０は、図１に示した１個の大部品ＬＰ１１と１個の中部品ＭＰ１１と４個の小部品ＳＰ１１〜ＳＰ１４を備えており、これらの部品を適宜連結することにより、図１（Ａ）および図１（Ｂ）に示した連結前状態から図２（Ｂ）に示した連結後状態に変化させてキャラクター等の所定の形象物を表す形態（連結形態）を得ることができる。
【００１３】
大部品ＬＰ１１（第１の部品）は、本実施形態においては、キャラクター等の頭部に相当するものであり、分離可能な２個の部品ＤＰ１１およびＤＰ１２から成り、外観が球状を成し、球状の空洞部ＬＰ１１ａ（第１の空洞部）を内部に有し、円柱状の凸部から成り、他の部品に連結可能に取り付ける取付部ＬＰ１１ｂ（第１の取付部）を下端部に有している。
【００１４】
２個の部品ＤＰ１１およびＤＰ１２は、外観が半球状を成し、半球状の空洞部ＤＰ１１ａおよびＤＰ１２ａを内部に有し、半円柱状の凸部から成る部位ＤＰ１１ｂおよびＤＰ１２ｂを下端部に有しており、一方の部品ＤＰ１１の開放端に嵌め込み可能な環状凸部ＤＰ１２ｃを他方の部品ＤＰ１２の開放端に有している。すなわち、一方の部品ＤＰ１１の開放端に他方の部品ＤＰ１２の環状凸部ＤＰ１２ｃを嵌め込むことにより、空洞部ＤＰ１１ａおよびＤＰ１２ａによって空洞部ＬＰ１１ａが形成され、部位ＤＰ１１ｂおよびＤＰ１２ｂによって取付部ＬＰ１１ｂが形成される。
【００１５】
中部品ＭＰ１１（第２の部品）は、本実施形態においては、キャラクター等の胴部に相当するものであり、外観が円柱状を成し、円柱状の空洞部ＭＰ１１ａを内部に有し、円柱状の孔から成る取付部ＭＰ１１ｂ（第１の被取付部）を上端部に有している。取付部ＭＰ１１ｂには、大部品ＬＰ１１の取付部ＬＰ１１ｂが着脱可能に連結することで取り付けられる。本実施形態においては、取付部ＬＰ１１ｂを円柱状の凸部で形成し、取付部ＭＰ１１ｂを円柱状の孔で形成しているため、取付部ＭＰ１１ｂへの取付部ＬＰ１１ｂの取り付けは、取付部ＭＰ１１ｂに取付部ＬＰ１１ｂを嵌め込むことで可能となる。また、中部品ＭＰ１１は、円柱状の孔から成り他の部品を連結可能に取り付ける取付部ＭＰ１１ｃ（第２の取付部）を右面部に有し、円柱状の孔から成り他の部品を連結可能に取り付ける取付部ＭＰ１１ｄ（第２の取付部）を左面部に有し、円柱状の孔から成り他の部品を連結可能に取り付ける２個の取付部ＭＰ１１ｅおよびＭＰ１１ｆ（第２の取付部）を下端部に有している。
【００１６】
４個の小部品ＳＰ１１〜ＳＰ１４（第３の部品）のうちの小部品ＳＰ１１およびＳＰ１２は、本実施形態においては、キャラクター等の腕部に相当するものであり、円柱状の凸部から成る取付部ＳＰ１１ａおよびＳＰ１２ａ（第３の被取付部）を端部に有している。取付部ＳＰ１１ａおよびＳＰ１２ａには、中部品ＭＰ１１の取付部ＭＰ１１ｃおよび取付部ＭＰ１１ｄが着脱可能に連結することで取り付けられる。本実施形態においては、取付部ＭＰ１１ｃ、ＭＰ１１ｄを円柱状の孔で形成し、取付部ＳＰ１１ａ、ＳＰ１２ａを円柱状の凸部で形成しているため、取付部ＳＰ１１ａ、ＳＰ１２ａへの取付部ＭＰ１１ｃ、ＭＰ１１ｄの取り付けは、取付部ＳＰ１１ａ、ＳＰ１２ａに取付部ＭＰ１１ｃ、ＭＰ１１ｄを嵌め込むことで可能となる。
【００１７】
４個の小部品ＳＰ１１〜ＳＰ１４のうちの小部品ＳＰ１３およびＳＰ１４は、本実施形態においては、キャラクター等の脚部に相当するものであり、円柱状の凸部から成る取付部ＳＰ１３ａおよびＳＰ１４ａ（第３の取付部）を端部に有している。取付部ＳＰ１３ａおよびＳＰ１４ａは、中部品ＭＰ１１の取付部ＭＰ１１ｅおよびＭＰ１１ｆに着脱可能に連結することで取り付けられる。本実施形態においては、取付部ＭＰ１１ｅ、ＭＰ１１ｆを円柱状の孔で形成し、取付部ＳＰ１３ａ、ＳＰ１４ａを円柱状の凸部で形成しているため、取付部ＳＰ１３ａ、ＳＰ１４ａへの取付部ＭＰ１１ｅ、ＭＰ１１ｆの取り付けは、取付部ＳＰ１３ａ、ＳＰ１４ａに取付部ＭＰ１１ｅ、ＭＰ１１ｆを嵌め込むことで可能となる。
【００１８】
図１（Ａ）および図１（Ｂ）に示した連結前状態において、中部品ＭＰ１１は、大部品ＬＰ１１の空洞部ＬＰ１１ａ内に配置された状態とすることが可能であり、４個の小部品ＳＰ１１〜ＳＰ１４は、中部品ＭＰ１１の空洞部ＭＰ１１ａ内に配置された状態とすることが可能である。換言すると、中部品ＭＰ１１は、大部品ＬＰ１１の空洞部ＬＰ１１ａ内に収容可能であり、４個の小部品ＳＰ１１〜ＳＰ１４は、中部品ＭＰ１１の空洞部ＭＰ１１ａ内に収容可能である。本実施形態においては、４個の小部品ＳＰ１１〜ＳＰ１４は、中部品ＭＰ１１の空洞部ＭＰ１１ａに対して十分小さいため、小部品ＳＰ１１〜ＳＰ１４の各々の全体が中部品ＭＰ１１の空洞部ＭＰ１１ａ内に配置された状態としているが、そのような場合に限らず、小部品ＳＰ１１〜ＳＰ１４の何れかの大きさが所定の大きさよりも大きい場合には、小部品ＳＰ１１〜ＳＰ１４の何れか部品の少なくとも一部分が中部品ＭＰ１１の空洞部ＭＰ１１ａ内に配置され、他部分が中部品ＭＰ１１の空洞部ＭＰ１１ａ外であって、大部品大部品ＬＰ１１の空洞部ＬＰ１１ａ内に配置された状態とすることも可能である。中部品ＭＰ１１の空洞部ＭＰ１１ａへの４個の小部品ＳＰ１１〜ＳＰ１４の配置は、取付部ＭＰ１１ｂ（円柱状の孔）を通じて行うことができる。また、小部品ＳＰ１１〜ＳＰ１４は、小部品ＳＰ１１〜ＳＰ１４の何れかの大きさが大きい場合には、取付部ＭＰ１１ｂの孔を通じて小部品ＳＰ１１〜ＳＰ１４の何れかの一部分が中部品ＭＰ１１の空洞部ＭＰ１１ａ外に配置された状態とすることが可能である。大部品ＬＰ１１の空洞部ＬＰ１１ａに中部品ＭＰ１１が配置された状態において、中部品ＭＰ１１の回りに余剰の隙間がある場合には、大部品ＬＰ１１の空洞部ＬＰ１１ａの一部である当該隙間に４個の小部品ＳＰ１１〜ＳＰ１４のうちの１個、２個または３個が配置された状態とすることも可能である。すなわち、４個の小部品ＳＰ１１〜ＳＰ１４は、一部が中部品ＭＰ１１の空洞部ＭＰ１１ａ内に配置された状態とし、他部が中部品ＭＰ１１の空洞部ＭＰ１１ａ外であって部品ＬＰ１１の空洞部ＬＰ１１ａ内に配置された状態とすることが可能である。換言すると、４個の小部品ＳＰ１１〜ＳＰ１４は、中部品ＭＰ１１の空洞部ＭＰ１１ａ内および大部品ＬＰ１１の空洞部ＬＰ１１ａ内の少なくとも一方に収容可能である。
【００１９】
前述の１個の大部品ＬＰ１１と１個の中部品ＭＰ１１と４個の小部品ＳＰ１１〜ＳＰ１４を用いて図２（Ｂ）に示した連結形態を得るときには、例えば、図１（Ｃ）に示したように、大部品ＬＰ１１を構成する部品ＤＰ１１およびＤＰ１２を分離して中部品ＭＰ１１を取り出し、中部品ＭＰ１１を上下反転させて当該中部品ＭＰ１１から小部品ＳＰ１１〜ＳＰ１４を取り出す。中部品ＭＰ１１と小部品ＳＰ１１〜ＳＰ１４を取り出した後の部品ＤＰ１１およびＤＰ１２は、図１（Ａ）および図１（Ｂ）に示した連結前状態の大部品ＬＰ１１の形に戻す。
【００２０】
続いて、図２（Ａ）に示したように、大部品ＬＰ１１の取付部ＬＰ１１ｂ（円柱状の凸部）に、中部品ＭＰ１１の取付部ＭＰ１１ｂ（円柱状の孔）を嵌め込んで連結する。また、中部品ＭＰ１１の取付部ＭＰ１１ｃおよびＭＰ１１ｄ（円柱状の孔）に、小部品ＳＰ１１およびＳＰ１２の取付部ＳＰ１１ａおよびＳＰ１２ａ（円柱状の凸部）をそれぞれ嵌め込んで連結するとともに、中部品ＭＰ１１の取付部ＭＰ１１ｅおよびＭＰ１１ｆ（円柱状の孔）に、小部品ＳＰ１３およびＳＰ１４の取付部ＳＰ１３ａおよびＳＰ１４ａ（円柱状の凸部）をそれぞれ嵌め込んで連結する。
【００２１】
図示を省略したが、図２（Ｂ）に示した連結形態はキャラクター等の所定の形象物を摸したものであるため、大部品ＬＰ１１の表面に目や鼻や口等を表す色付け箇所や凹凸等を設けることが好ましく、中部品ＭＰ１１と小部品ＳＰ１１〜ＳＰ１４の表面にも他と区別するための色付け箇所や凹凸等を設けることが好ましい。また、大部品ＬＰ１１の前に現れる縦線（部品ＤＰ１１およびＤＰ１２の境界線）を嫌う場合には、前記の色付け箇所や凹凸等の位置を予め変更しておくとともに、連結過程で大部品ＬＰ１１の連結向きを上から見て９０度変えるようにしてもよい。
【００２２】
このように、前述の連結玩具１０によれば、図１（Ａ）および図１（Ｂ）に示した連結前状態において、少なくとも４個の小部品ＳＰ１１〜ＳＰ１４は、中部品ＭＰ１１の空洞部ＭＰ１１ａ内に配置された状態とすることができるため、大部品ＬＰ１１の空洞部ＬＰ１１ａ内に配置された状態とすることが可能な部品の数および大きさの制限を緩和することができる。すなわち、前述の連結玩具１０に適用した思想は、多種多様な連結形態を得る場合に極めて有用であり、連結玩具１０の興趣性を向上させることができる。
【００２３】
《第２実施形態》
図３および図４は第２実施形態に係る連結玩具２０に関するものであって、図３（Ａ）および図３（Ｂ）は連結前状態を示し、図４（Ｂ）は連結後状態を示す。以下の説明では、便宜上、連結後状態を示す図４（Ｂ）の手前側を前、奥側を後、左側を右、右側を左、上側を上、下側を下と表記し、図３（Ａ）〜図３（Ｃ）および図４（Ａ）についてもこれらに準じて向きを表記する。
【００２４】
この連結玩具２０は、第１実施形態（連結玩具１０）の改良タイプであり、図３に示した１個の大部品ＬＰ１１と１個の中部品ＭＰ１１と４個の小部品ＳＰ１１〜ＳＰ１４を備えており、図３（Ａ）および図３（Ｂ）に示した連結前状態から図４（Ｂ）に示した連結後状態に変化させて人またはキャラクターを摸した連結形態を得ることができる。
【００２５】
この連結玩具２０が第１実施形態（連結玩具１０）と構成を異にするところは、
・大部品ＬＰ１１が、分離可能な３個の部品ＤＰ１１〜ＤＰ１３から成る点
・円柱状の孔から成る開口部ＬＰ１１ｃが大部品ＬＰ１１の上端部に設けられていて、３
個の部品ＤＰ１１〜ＤＰ１３のうちの部品ＤＰ１３が当該開口部ＬＰ１１ｃを閉塞可能
であり、かつ、着脱可能である蓋部品である点
・大部品ＬＰ１１の開口部ＬＰ１１ｃを通じて中部品ＭＰ１１の空洞部ＭＰ１１ａへの小
部品ＳＰ１１〜ＳＰ１４の挿入および取り出しが可能である点
にある。
【００２６】
補足すれば、図３（Ｃ）に示したように、２個の部品ＤＰ１１およびＤＰ１２は、半円柱状の凹みＤＰ１１ｃおよびＤＰ１２ｃを上端部に有している。すなわち、一方の部品ＤＰ１１の開放端に他方の部品ＤＰ１２の環状凸部ＤＰ１２ｃを嵌め込むことにより、凹みＤＰ１１ｃおよびＤＰ１２ｃによって開口部ＬＰ１１ｃが形成される。部品ＤＰ１３は、円柱状の凸部から成る嵌め込み部ＤＰ１３ａを下端部に有しており、当該嵌め込み部ＤＰ１３ａは大部品ＬＰ１１の開口部ＬＰ１１ｃに着脱可能に嵌め込むことができる。
【００２７】
図３（Ａ）および図３（Ｂ）に示した連結前状態において、中部品ＭＰ１１は、大部品ＬＰ１１の空洞部ＬＰ１１ａ内に配置された状態とすることが可能であり、４個の小部品ＳＰ１１〜ＳＰ１４は、中部品ＭＰ１１の空洞部ＭＰ１１ａ内に配置された状態とすることが可能である。中部品ＭＰ１１の空洞部ＭＰ１１ａへの４個の小部品ＳＰ１１〜ＳＰ１４の挿入は、取付部ＭＰ１１ｂ（円柱状の孔）を通じて行うことができる。また、中部品ＭＰ１１の空洞部ＭＰ１１ａへの４個の小部品ＳＰ１１〜ＳＰ１４の挿入は、大部品ＬＰ１１の空洞部ＬＰ１１ａ内に中部品ＭＰ１１が配置された状態とした後に大部品ＬＰ１１の開口部ＬＰ１１ｃ（円柱状の孔）および取付部ＭＰ１１ｂ（円柱状の孔）を通じて行うことも可能である。大部品ＬＰ１１の空洞部ＬＰ１１ａ内に配置された状態の中部品ＭＰ１１の回りに余剰の隙間がある場合には、当該隙間に４個の小部品ＳＰ１１〜ＳＰ１４のうちの１個、２個または３個が配置された状態とすることも可能である。
【００２８】
前述の１個の大部品ＬＰ１１と１個の中部品ＭＰ１１と４個の小部品ＳＰ１１〜ＳＰ１４を用いて図４（Ｂ）に示した連結形態を得るときには、例えば、図３（Ｃ）に示したように、大部品ＬＰ１１を構成する部品ＤＰ１１〜ＤＰ１３を分離して中部品ＭＰ１１を取り出し、中部品ＭＰ１１を上下反転させて当該中部品ＭＰ１１から小部品ＳＰ１１〜ＳＰ１４を取り出す。中部品ＭＰ１１と小部品ＳＰ１１〜ＳＰ１４を取り出した後の部品ＤＰ１１〜ＤＰ１３は、図３（Ａ）および図３（Ｂ）に示した連結前状態の大部品ＬＰ１１の形に戻す。
【００２９】
続いて、図４（Ａ）に示したように、大部品ＬＰ１１の取付部ＬＰ１１ｂ（円柱状の凸部）に、中部品ＭＰ１１の取付部ＭＰ１１ｂ（円柱状の孔）を嵌め込んで連結する。また、中部品ＭＰ１１の取付部ＭＰ１１ｃおよびＭＰ１１ｄ（円柱状の孔）に、小部品ＳＰ１１およびＳＰ１２の取付部ＳＰ１１ａおよびＳＰ１２ａ（円柱状の凸部）をそれぞれ嵌め込んで連結するとともに、中部品ＭＰ１１の取付部ＭＰ１１ｅおよびＭＰ１１ｆ（円柱状の孔）に、小部品ＳＰ１３およびＳＰ１４の取付部ＳＰ１３ａおよびＳＰ１４ａ（円柱状の凸部）をそれぞれ嵌め込んで連結する。
【００３０】
図示を省略したが、図４（Ｂ）に示した連結形態はキャラクター等の所定の形象物を摸したものであるため、大部品ＬＰ１１の表面に目や鼻や口等を表す色付け箇所や凹凸等を設けることが好ましく、中部品ＭＰ１１と小部品ＳＰ１１〜ＳＰ１４の表面にも他と区別するための色付け箇所や凹凸等を設けることが好ましい。また、大部品ＬＰ１１の前に現れる縦線（部品ＤＰ１１およびＤＰ１２の境界線）を嫌う場合には、前記の色付け箇所や凹凸等の位置を予め変更しておくとともに、連結過程で大部品ＬＰ１１の連結向きを上から見て９０度変えるようにしてもよい。さらに、部品ＤＰ１３は頭髪や帽子等を表すものとして利用してもよい。
【００３１】
このように、前述の連結玩具２０によれば、図３（Ａ）および図３（Ｂ）に示した連結前状態において、少なくとも４個の小部品ＳＰ１１〜ＳＰ１４は、中部品ＭＰ１１の空洞部ＭＰ１１ａ内に配置された状態とすることができるため、大部品ＬＰ１１の空洞部ＬＰ１１ａ内に配置された状態とすることが可能な部品の数および大きさの制限を緩和することができる。すなわち、前述の連結玩具２０に適用した思想は、多種多様な連結形態を得る場合に極めて有用であり、連結玩具２０の興趣性を向上させることができる。
【００３２】
また、前述の連結玩具２０によれば、中部品ＭＰ１１の空洞部ＭＰ１１ａへの４個の小部品ＳＰ１１〜ＳＰ１４の挿入を、大部品ＬＰ１１の空洞部ＬＰ１１ａ内に中部品ＭＰ１１が配置された状態とした後に大部品ＬＰ１１の開口部ＬＰ１１ｃ（円柱状の孔）から取付部ＭＰ１１ｂ（円柱状の孔）を通じて行うこともできるため、図４（Ｂ）に示した連結後状態から図３（Ａ）および図３（Ｂ）に示した連結前状態に戻す作業の選択肢を増やすことができる。
【００３３】
《第３実施形態》
図５および図６は第３実施形態に係る連結玩具３０に関するものであって、図５（Ａ）および図５（Ｂ）は連結前状態を示し、図６（Ｂ）は連結後状態を示す。以下の説明では、便宜上、連結後状態を示す図６（Ｂ）の手前側を前、奥側を後、左側を右、右側を左、上側を上、下側を下と表記し、図５（Ａ）〜図５（Ｃ）および図６（Ａ）についてもこれらに準じて向きを表記する。
【００３４】
この連結玩具３０は、第１実施形態（連結玩具１０）の改良タイプであり、図５に示した１個の大部品ＬＰ１１と１個の中部品ＭＰ１１と４個の小部品ＳＰ１１〜ＳＰ１４を備えており、図５（Ａ）および図５（Ｂ）に示した連結前状態から図６（Ｂ）に示した連結後状態に変化させてキャラクター等の所定の形象物を摸した連結形態を得ることができる。
【００３５】
この連結玩具３０が第１実施形態（連結玩具１０）と構成を異にするところは、
・大部品ＬＰ１１が、２個の部品ＤＰ１１およびＤＰ１２を一体化した形となっている点
（分離可能な部品は第２実施形態（連結玩具２０）で説明した部品ＤＰ１３のみ）
・円柱状の孔から成る開口部ＬＰ１１ｃが大部品ＬＰ１１の上端部に設けられていて、部
品ＤＰ１３が当該開口部ＬＰ１１ｃを閉塞可能であり、かつ、着脱可能である蓋部品で
ある点
・大部品ＬＰ１１の開口部ＬＰ１１ｃを通じて空洞部ＬＰ１１ａへの中部品ＭＰ１１の挿
入および取り出しが可能である点
にある。
【００３６】
補足すれば、図５（Ｃ）に示したように、部品ＤＰ１３は、円柱状の凸部から成る嵌め込み部ＤＰ１３ａを下端部に有しており、当該嵌め込み部ＤＰ１３ａは大部品ＬＰ１１の開口部ＬＰ１１ｃに着脱可能に嵌め込むことができる。
【００３７】
図５（Ａ）および図５（Ｂ）に示した連結前状態において、中部品ＭＰ１１は、大部品ＬＰ１１の空洞部ＬＰ１１ａ内に配置された状態とすることが可能であり、４個の小部品ＳＰ１１〜ＳＰ１４は、中部品ＭＰ１１の空洞部ＭＰ１１ａ内に配置された状態とすることが可能である。大部品ＬＰ１１の空洞部ＬＰ１１ａへの中部品ＭＰ１１の挿入は、開口部ＬＰ１１ｃ（円柱状の孔）を通じて行うことができ、中部品ＭＰ１１の空洞部ＭＰ１１ａへの４個の小部品ＳＰ１１〜ＳＰ１４の挿入は、取付部ＭＰ１１ｂ（円柱状の孔）を通じて行うことができる。また、中部品ＭＰ１１の空洞部ＭＰ１１ａへの４個の小部品ＳＰ１１〜ＳＰ１４の挿入は、大部品ＬＰ１１の空洞部ＬＰ１１ａ内に中部品ＭＰ１１が配置された状態とした後に大部品ＬＰ１１の開口部ＬＰ１１ｃ（円柱状の孔）および取付部ＭＰ１１ｂ（円柱状の孔）を通じて行うことも可能である。ちなみに、大部品ＬＰ１１の空洞部ＬＰ１１ａ内に配置された状態の中部品ＭＰ１１の回りに余剰の隙間がある場合には、当該隙間に４個の小部品ＳＰ１１〜ＳＰ１４のうちの１個，２個または３個が配置された状態とすることも可能である。
【００３８】
前述の１個の大部品ＬＰ１１と１個の中部品ＭＰ１１と４個の小部品ＳＰ１１〜ＳＰ１４を用いて図６（Ｂ）に示した連結形態を得るときには、例えば、図５（Ｃ）に示したように、部品ＤＰ１３を分離してから大部品ＬＰ１１を上下反転させて当該大部品ＬＰ１１の開口部ＬＰ１１ｃ（円柱状の孔）を通じて中部品ＭＰ１１を取り出し、中部品ＭＰ１１から小部品ＳＰ１１〜ＳＰ１４を取り出す。中部品ＭＰ１１と小部品ＳＰ１１〜ＳＰ１４を取り出した後の部品ＤＰ１３は、図５（Ａ）および図５（Ｂ）に示した連結前状態の大部品ＬＰ１１の形に戻す。
【００３９】
続いて、図６（Ａ）に示したように、大部品ＬＰ１１の取付部ＬＰ１１ｂ（円柱状の凸部）に、中部品ＭＰ１１の取付部ＭＰ１１ｂ（円柱状の孔）を嵌め込んで連結する。また、中部品ＭＰ１１の取付部ＭＰ１１ｃおよびＭＰ１１ｄ（円柱状の孔）に、小部品ＳＰ１１およびＳＰ１２の取付部ＳＰ１１ａおよびＳＰ１２ａ（円柱状の凸部）をそれぞれ嵌め込んで連結するとともに、中部品ＭＰ１１の取付部ＭＰ１１ｅおよびＭＰ１１ｆ（円柱状の孔）に、小部品ＳＰ１３およびＳＰ１４の取付部ＳＰ１３ａおよびＳＰ１４ａ（円柱状の凸部）をそれぞれ嵌め込んで連結する。
【００４０】
図示を省略したが、図６（Ｂ）に示した連結形態はキャラクター等の所定の形象物を摸したものであるため、大部品ＬＰ１１の表面に目や鼻や口等を表す色付け箇所や凹凸等を設けることが好ましく、中部品ＭＰ１１と小部品ＳＰ１１〜ＳＰ１４の表面にも他と区別するための色付け箇所や凹凸等を設けることが好ましい。また、部品ＤＰ１３は頭髪や帽子等を表すものとして利用してもよい。
【００４１】
このように、前述の連結玩具３０によれば、図５（Ａ）および図５（Ｂ）に示した連結前状態において、少なくとも４個の小部品ＳＰ１１〜ＳＰ１４は、中部品ＭＰ１１の空洞部ＭＰ１１ａ内に配置された状態とすることができるため、大部品ＬＰ１１の空洞部ＬＰ１１ａ内に配置された状態とすることが可能な部品の数および大きさの制限を緩和することができる。すなわち、前述の連結玩具３０に適用した思想は、多種多様な連結形態を得る場合に極めて有用であり、連結玩具３０の興趣性を向上させることができる。
【００４２】
また、前述の連結玩具３０によれば、大部品ＬＰ１１の空洞部ＬＰ１１ａへの中部品ＭＰ１１の挿入を大部品ＬＰ１１の開口部ＬＰ１１ｃ（円柱状の孔）を通じて行うことができ、しかも、中部品ＭＰ１１の空洞部ＭＰ１１ａへの４個の小部品ＳＰ１１〜ＳＰ１４の挿入を、大部品ＬＰ１１の空洞部ＬＰ１１ａ内に中部品ＭＰ１１が配置された状態とした後に大部品ＬＰ１１の開口部ＬＰ１１ｃ（円柱状の孔）から取付部ＭＰ１１ｂ（円柱状の孔）を通じて行うこともできるため、図６（Ｂ）に示した連結後状態から図５（Ａ）および図５（Ｂ）に示した連結前状態に戻す作業の選択肢を増やすことができる。
【００４３】
《第４実施形態》
図７および図８は第４実施形態に係る連結玩具４０に関するものであって、図７（Ａ）および図７（Ｂ）は連結前状態を示し、図８（Ｂ）は連結後状態を示す。以下の説明では、便宜上、連結後状態を示す図８（Ｂ）の手前側を前、奥側を後、左側を右、右側を左、上側を上、下側を下と表記し、図７（Ａ）〜図７（Ｃ）および図８（Ａ）についてもこれらに準じて向きを表記する。
【００４４】
この連結玩具４０は、第１実施形態（連結玩具１０）の改良タイプであり、図７に示した１個の大部品ＬＰ１１と２個の中部品ＭＰ１１およびＭＰ１２と４個の小部品ＳＰ１１〜ＳＰ１４を備えており、図７（Ａ）および図７（Ｂ）に示した連結前状態から図８（Ｂ）に示した連結後状態に変化させてキャラクター等の所定の形象物を摸した連結形態を得ることができる。
【００４５】
この連結玩具４０が第１実施形態（連結玩具１０）と構成を異にするところは、
・１個で構成していた中部品ＭＰ１１を、２個の中部品ＭＰ１１およびＭＰ１２として構
成した点
にある。
【００４６】
補足すれば、図７（Ｃ）に示したように、２個の中部品ＭＰ１１およびＭＰ１２のうちの中部品ＭＰ１１は、キャラクター等の所定の形象物の胴部に相当するものであり、外観が円柱状を成し、下端が開放した円柱状の空洞部ＭＰ１１ａを内部に有し、円柱状の孔から成る取付部ＭＰ１１ｂを上端部に有している。取付部ＭＰ１１ｂは、大部品ＬＰ１１の取付部ＬＰ１１ｂに着脱可能に嵌め込んで連結することができる。また、中部品ＭＰ１１は、円柱状の孔から成る取付部ＭＰ１１ｃを右面部に有し、円柱状の孔から成る取付部ＭＰ１１ｄを左面部に有している。ちなみに、空洞部ＭＰ１１ａの開放端は取付部（符号省略）を兼用している。
【００４７】
図７（Ｃ）に示したように、２個の中部品ＭＰ１１およびＭＰ１２のうちの中部品ＭＰ１２は、キャラクター等の所定の形象物の脚上部に相当するものであり、外観が円柱状を成し、上端が開放した空洞部ＭＰ１２ａを内部に有している。また、中部品ＭＰ１２は、空洞部ＭＰ１２ａの開放端に、中部品ＭＰ１１の取付部（符号省略、空洞部ＭＰ１１ａの開放端）に嵌め込み可能な環状凸部から成る取付部ＭＰ１２ｂ（第３の取付部）を有している。さらに、中部品ＭＰ１２は、円柱状の孔から成る２個の取付部ＭＰ１２ｃおよびＭＰ１２ｄ（第２の取付部）を下端部に有している。
【００４８】
図７（Ａ）および図７（Ｂ）に示した連結前状態において、２個の中部品ＭＰ１１およびＭＰ１２のうちの中部品ＭＰ１１は、大部品ＬＰ１１の空洞部ＬＰ１１ａ内に配置された状態とすることが可能であり、中部品ＭＰ１２は、一部分が中部品ＭＰ１１の空洞部ＭＰ１１ａ内に配置された状態とすることが可能であり、中部品ＭＰ１１の空洞部ＭＰ１１ａ内に配置された状態とされた部分以外の他部分は、ＭＰ１１の空洞部ＭＰ１１ａ外であって大部品ＬＰ１１の空洞部ＬＰ１１ａ内に配置された状態とすることが可能である。また、４個の小部品ＳＰ１１〜ＳＰ１４のうちの小部品ＳＰ１２は、一部分は中部品ＭＰ１２の空洞部ＭＰ１２ａ内に配置された状態とすることが可能であり、中部品ＭＰ１１の空洞部ＭＰ１２ａ内に配置された状態とされた部分以外の他部分はＭＰ１１の空洞部ＭＰ１２ａ外であって中部品ＭＰ１１の空洞部ＭＰ１１ａ内に配置された状態とすることが可能である。さらに、４個の小部品ＳＰ１１〜ＳＰ１４のうちの小部品ＳＰ１１、ＳＰ１３およびＳＰ１４は、大部品ＬＰ１１の空洞部ＬＰ１１ａ内配置された状態の中部品ＭＰ１１の回りにある隙間に配置された状態とすることが可能である。中部品ＭＰ１１の空洞部ＭＰ１１ａへの中部品ＭＰ１２と小部品ＳＰ１２の挿入は、取付部（符号省略、空洞部ＭＰ１１ａの開放端）を通じて行うことができる。ちなみに、中部品ＭＰ１１の空洞部ＭＰ１１ａ内に配置された状態の中部品ＭＰ１２の周囲または中部品ＭＰ１２の空洞部ＭＰ１２ａに余剰の隙間がある場合には、当該隙間に小部品ＳＰ１１、ＳＰ１３およびＳＰ１４のうちの１個が配置された状態とすることも可能である。
【００４９】
前述の１個の大部品ＬＰ１１と２個の中部品ＭＰ１１およびＭＰ１２と４個の小部品ＳＰ１１〜ＳＰ１４を用いて図８（Ｂ）に示した連結形態を得るときには、例えば、図７（Ｃ）に示したように、大部品ＬＰ１１を構成する部品ＤＰ１１およびＤＰ１２を分離して中部品ＭＰ１１と小部品ＳＰ１１、ＳＰ１３およびＳＰ１４を取り出し、中部品ＭＰ１１を上下反転させて当該中部品ＭＰ１１から中部品ＭＰ１２と小部品ＳＰ１２を取り出す。中部品ＭＰ１１およびＭＰ１２と小部品ＳＰ１１〜ＳＰ１４を取り出した後の部品ＤＰ１１およびＤＰ１２は、図７（Ａ）および図７（Ｂ）に示した連結前状態の大部品ＬＰ１１の形に戻す。
【００５０】
続いて、図８（Ａ）に示したように、大部品ＬＰ１１の取付部ＬＰ１１ｂ（円柱状の凸部）に、中部品ＭＰ１１の取付部ＭＰ１１ｂ（円柱状の孔）を嵌め込んで連結し、中部品ＭＰ１１の取付部（符号省略、空洞部ＭＰ１１ａの開放端）に、中部品ＭＰ１２の取付部ＭＰ１２ｂを嵌め込んで連結する。また、中部品ＭＰ１１の取付部ＭＰ１１ｃおよびＭＰ１１ｄ（円柱状の孔）に、小部品ＳＰ１１およびＳＰ１２の取付部ＳＰ１１ａおよびＳＰ１２ａ（円柱状の凸部）をそれぞれ嵌め込んで連結するとともに、中部品ＭＰ１２の取付部ＭＰ１２ｃおよびＭＰ１２ｄ（円柱状の孔）に、小部品ＳＰ１３およびＳＰ１４の取付部ＳＰ１３ａおよびＳＰ１４ａ（円柱状の凸部）をそれぞれ嵌め込んで連結する。
【００５１】
図示を省略したが、図８（Ｂ）に示した連結形態はキャラクター等の所定の形象物を摸したものであるため、大部品ＬＰ１１の表面に目や鼻や口等を表す色付け箇所や凹凸等を設けることが好ましく、中部品ＭＰ１１およびＭＰ１２と小部品ＳＰ１１〜ＳＰ１４の表面にも他と区別するための色付け箇所や凹凸等を設けることが好ましい。また、大部品ＬＰ１１の前に現れる縦線（部品ＤＰ１１およびＤＰ１２の境界線）を嫌う場合には、前記の色付け箇所や凹凸等の位置を予め変更しておくとともに、連結過程で大部品ＬＰ１１の連結向きを上から見て９０度変えるようにしてもよい。
【００５２】
このように、前述の連結玩具４０によれば、図７（Ａ）および図７（Ｂ）に示した連結前状態において、２個の中部品ＭＰ１１およびＭＰ１２のうちの一方の中部品ＭＰ１１の空洞部ＭＰ１１ａ内に他方の中部品ＭＰ１２の一部や少なくとも１個の小部品ＳＰ１２が配置された状態とすることが可能であるため、大部品ＬＰ１１の空洞部ＬＰ１１ａ内に配置された状態とすることが可能な部品の数および大きさの制限を緩和することができる。すなわち、前述の連結玩具４０に適用した思想は、多種多様な連結形態を得る場合に極めて有用であり、連結玩具４０の興趣性を向上させることができる。
【００５３】
なお、図示を省略したが、前述の連結玩具４０に、第２実施形態（連結玩具２０）と第３実施形態（連結玩具３０）に示した大部品ＬＰ１１の構成（３部品構成または２部品構成）を採用してもよい。
【００５４】
《第５実施形態》
図９および図１０は第５実施形態に係る連結玩具５０に関するものであって、図９（Ａ）および図９（Ｂ）は連結前状態を示し、図１０（Ｂ）は連結後状態を示す。以下の説明では、便宜上、連結後状態を示す図１０（Ｂ）の手前側を前、奥側を後、左側を右、右側を左、上側を上、下側を下と表記し、図９（Ａ）〜図９（Ｃ）および図１０（Ａ）についてもこれらに準じて向きを表記する。
【００５５】
この連結玩具５０は、図９に示した１個の大部品ＬＰ２１と１個の中部品ＭＰ２１と４個の小部品ＳＰ２１〜ＳＰ２４を備えており、図９（Ａ）および図９（Ｂ）に示した連結前状態から図１０（Ｂ）に示した連結後状態に変化させることにより、所定の形象物として雪だるまを摸した連結形態を得ることができる。
【００５６】
大部品ＬＰ２１は、本実施形態においては、雪だるまの胴部に相当するものであり、分離可能な２個の部品ＤＰ２１およびＤＰ２２から成り、外観が球状を成し、球状の空洞部ＬＰ２１ａを内部に有し、円柱状の凸部から成る台座部ＬＰ２１ｂを下端部に有し、円柱状の凸部から成る取付部ＬＰ２１ｃを上端部に有している。
【００５７】
２個の部品ＤＰ２１およびＤＰ２２は、外観が半球状を成し、半球状の空洞部ＤＰ２１ａおよびＤＰ２２ａを内部に有し、半円柱状の凸部から成る部位ＤＰ２１ｂおよびＤＰ２２ｂを下端部に有し、半円柱状の凸部から成る部位ＤＰ２１ｃおよびＤＰ２２ｃを上端部に有しており、一方の部品ＤＰ２１の開放端に嵌め込み可能な環状凸部ＤＰ２２ｄを他方の部品ＤＰ２２の開放端に有している。すなわち、一方の部品ＤＰ２１の開放端に他方の部品ＤＰ２２の環状凸部ＤＰ１２ｃを嵌め込むことにより、空洞部ＤＰ２１ａおよびＤＰ２２ａによって空洞部ＬＰ２１ａが形成され、部位ＤＰ２１ｂおよびＤＰ２２ｂによって台座部ＬＰ２１ｂが形成され、部位ＤＰ２１ｃおよびＤＰ２２ｃによって取付部ＬＰ２１ｃが形成される。また、大部品ＬＰ２１は、円柱状の孔から成る取付部ＬＰ２１ｄを右面部に有し、円柱状の孔から成る取付部ＬＰ２１ｅを左面部に有している。
【００５８】
中部品ＭＰ２１は、本実施形態においては、雪だるまの頭部に相当するものであり、外観が球状を成し、球状の空洞部ＭＰ２１ａを内部に有し、円柱状の孔から成る取付部ＭＰ２１ｂを下端部に有している。取付部ＭＰ２１ｂは、大部品ＬＰ２１の取付部ＬＰ２１ｃに着脱可能に嵌め込んで連結することができる。また、中部品ＭＰ２１は、円柱状の孔から成る取付部ＭＰ２１ｃを上端部に有し、円柱状の孔から成る取付部ＭＰ２１ｄを前面部（図９（Ｃ）では右面部）に有している。
【００５９】
４個の小部品ＳＰ２１〜ＳＰ２４のうちの小部品ＳＰ２１は、本実施形態においては、雪だるまの帽子部に相当するものであり、中部品ＭＰ２１の空洞部ＭＰ２１ａに挿入できるように左右方向寸法よりも前後方向寸法が小さく、円柱状の凸部から成る取付部ＳＰ２１ａを下端部に有している。取付部ＳＰ２１ａは、中部品ＭＰ２１の取付部ＭＰ２１ｃに着脱可能に嵌め込んで連結することができる。
【００６０】
４個の小部品ＳＰ２１〜ＳＰ２４のうちの小部品ＳＰ２２は、本実施形態においては、雪だるまの鼻部に相当するものであり、円柱状の凸部から成る取付部ＳＰ２２ａを端部に有している。取付部ＳＰ２２ａは、中部品ＭＰ２１の取付部ＭＰ２１ｄに着脱可能に嵌め込んで連結することができる。
【００６１】
４個の小部品ＳＰ２１〜ＳＰ２４のうちの小部品ＳＰ２３およびＳＰ２４は、本実施形態においては、雪だるまの腕部に相当するものであり、円柱状の凸部から成る取付部ＳＰ２３ａおよびＳＰ２４ａを端部に有している。取付部ＳＰ２３ａおよびＳＰ２４ａは、大部品ＬＰ２１の取付部ＬＰ２１ｄおよびＬＰ２１ｅに着脱可能に嵌め込んで連結することができる。
【００６２】
図９（Ａ）および図９（Ｂ）に示した連結前状態において、中部品ＭＰ２１は、大部品ＬＰ２１の空洞部ＬＰ２１ａ内に配置された状態とすることが可能である。また、４個の小部品ＳＰ２１〜ＳＰ２４のうちの小部品ＳＰ２１、ＳＰ２２およびＳＰ２４は、中部品ＭＰ２２の空洞部ＭＰ２１ａ内に配置された状態とすることが可能である。さらに、４個の小部品ＳＰ１１〜ＳＰ１４のうちの小部品ＳＰ２３は、大部品ＬＰ２１の空洞部ＬＰ２１ａ内に配置された状態の中部品ＭＰ２１の回りにある隙間に配置された状態とすることが可能である。中部品ＭＰ２１の空洞部ＭＰ２１ａへの小部品ＳＰＰ２１、ＳＰ２２およびＳＰ２４の挿入は、取付部ＭＰ２１ｂ（円柱状の孔）を通じて行うことができる。ちなみに、大部品ＭＰ２１の空洞部ＭＰ２１ａ内に配置された状態の中部品ＭＰ２１の周囲に余剰の隙間がある場合には、当該隙間に小部品ＳＰ２１、ＳＰ２２およびＳＰ２４のうちの１個または２個が配置された状態とすることも可能である。
【００６３】
前述の１個の大部品ＬＰ２１と１個の中部品ＭＰ２１と４個の小部品ＳＰ２１〜ＳＰ２４を用いて図１０（Ｂ）に示した連結形態を得るときには、例えば、図９（Ｃ）に示したように、大部品ＬＰ２１を構成する部品ＤＰ２１およびＤＰ２２を分離して中部品ＭＰ２１と小部品ＳＰ２３を取り出し、中部品ＭＰ２１から小部品ＳＰ２１、ＳＰ２２およびＳＰ１４を取り出す。中部品ＭＰ２１と小部品ＳＰ２１〜ＳＰ２４を取り出した後の部品ＤＰ２１およびＤＰ２２は、図９（Ａ）および図９（Ｂ）に示した連結前状態の大部品ＬＰ２１の形に戻す。
【００６４】
続いて、図１０（Ａ）に示したように、大部品ＬＰ２１の取付部ＬＰ２１ｃ（円柱状の凸部）に、中部品ＭＰ２１の取付部ＭＰ２１ｂ（円柱状の孔）を嵌め込んで連結する。また、大部品Ｌ２１の取付部ＭＰ２１ｄおよびＭＰ２１ｅ（円柱状の孔）に、小部品ＳＰ２３およびＳＰ２４の取付部ＳＰ２３ａおよびＳＰ２４ａ（円柱状の凸部）をそれぞれ嵌め込んで連結する。さらに、中部品ＭＰ２１の取付部ＭＰ２１ｃ（円柱状の孔）に、小部品ＳＰ２１の取付部ＳＰ２１ａ（円柱状の凸部）を嵌め込んで連結するとともに、中部品ＭＰ２１の取付部ＭＰ２１ｄ（円柱状の孔）に、小部品ＳＰ２２の取付部ＳＰ２２ａ（円柱状の凸部）を嵌め込んで連結する。図１０（Ａ）には、図９（Ｃ）と同様に、中部品ＭＰ２１の前面部が右を向いているものを描いているため、図１０（Ｂ）に示したように、連結過程で中部品ＭＰ２１の連結向きを上から見て９０度変えて、小部品ＳＰ２２が中部品ＭＰ２１の前に来るようにする。
【００６５】
図示を省略したが、本実施形態において、図１０（Ｂ）に示した連結形態は雪だるまを摸したものであるため、中部品ＭＰ２１の表面に鼻部（小部品ＳＰ２２）を除く目や口等を表す色付け箇所や凹凸等を設けることが好ましく、大部品ＬＰ２１と小部品ＳＰ２１〜ＳＰ２４の表面にも他と区別するための色付け箇所や凹凸等を設けることが好ましい。
【００６６】
このように、前述の連結玩具５０によれば、図９（Ａ）および図９（Ｂ）に示した連結前状態において、少なくとも３個の小部品ＳＰ２１、ＳＰ２２およびＳＰ２３は、中部品ＭＰ２１の空洞部ＭＰ２１ａ内に配置された状態とすることが可能であるため、大部品ＬＰ２１の空洞部ＬＰ２１ａ内に配置されることが可能な部品の数および大きさの制限を緩和することができる。すなわち、前述の連結玩具５０に適用した思想は、多種多様な連結形態を得る場合に極めて有用であり、連結玩具５０の興趣性を向上させることができる。
【００６７】
《第６実施形態》
図１１および図１２は第６実施形態に係る連結玩具６０に関するものであって、図１１（Ａ）および図１１（Ｂ）は連結前状態を示し、図１２（Ｂ）は連結後状態を示す。以下の説明では、便宜上、連結後状態を示す図１２（Ｂ）の手前側を前、奥側を後、左側を右、右側を左、上側を上、下側を下と表記し、図１１（Ａ）〜図１１（Ｃ）および図１２（Ａ）についてもこれらに準じて向きを表記する。
【００６８】
この連結玩具６０は、第５実施形態（連結玩具５０）の改良タイプであり、図１１に示した１個の大部品ＬＰ１１と２個の中部品ＭＰ２１およびＭＰ２２と４個の小部品ＳＰ２１〜ＳＰ２４を備えており、図１１（Ａ）および図１１（Ｂ）に示した連結前状態から図１２（Ｂ）に示した連結後状態に変化させて雪だるまを摸した連結形態を得ることができる。
【００６９】
この連結玩具６０が第５実施形態（連結玩具５０）と構成を異にするところは、
・中部品ＭＰ２１とは別の中部品ＭＰ２２を有する点
・大部品ＬＰ２１の取付部ＬＰ２１ｄおよびＬＰ２１ｅを、中部品ＭＰ２１に移
した点（取付部ＭＰ２１ｃおよびＭＰ２１ｄを参照）
・中部品ＭＰ２１の取付部ＭＰ２１ｃおよびＭＰ２１ｄを、中部品ＭＰ２２に移
した点（取付部ＭＰ２２ｃおよびＭＰ２２ｄを参照）
にある。
【００７０】
補足すれば、図１１（Ｃ）に示したように、２個の中部品ＭＰ２１およびＭＰ２２のうちの中部品ＭＰ２１は、胴上部に相当するものであり、円柱状の凸部から成る取付部ＭＰ２１ｅを上端部に有している。
【００７１】
図１１（Ｃ）に示したように、２個の中部品ＭＰ２１およびＭＰ２２のうちの中部品ＭＰ２２は、雪だるまの頭部に相当するものであり、外観が球状を成し、球状の空洞部ＭＰ２２ａを内部に有し、円柱状の孔から成る取付部ＭＰ２２ｂを下端部に有している。取付部ＭＰ２２ｂは、中部品ＭＰ２１の取付部ＭＰ２１ｅに着脱可能に嵌め込んで連結することができる。
【００７２】
図１１（Ａ）および図１１（Ｂ）に示した連結前状態において、２個の中部品ＭＰ２１およびＭＰ２２のうちの中部品ＭＰ２１は、大部品ＬＰ２１の空洞部ＬＰ２１ａ内に配置された状態とすることが可能である。また、中部品ＭＰ２２は、中部品ＭＰ２１の空洞部ＭＰ２１ａ内に配置された状態とすることが可能である。さらに、４個の小部品ＳＰ１１〜ＳＰ１４のうちの小部品ＳＰ２４は、一部分が中部品ＭＰ２２の空洞部ＭＰ２２ａ内に配置された状態とすることが可能であり、他部分が中部品ＭＰ２２の空洞部ＭＰ２２ａ外であって中部品ＭＰ２１の空洞部ＭＰ２１ａ内に配置された状態とすることが可能である。さらに、４個の小部品ＳＰ１１〜ＳＰ１４のうちの小部品ＳＰ２１およびＳＰ２２は、中部品ＭＰ２１の空洞部ＭＰ２１ａ内に配置された状態とすることが可能であり、小部品ＳＰ２３は、大部品ＬＰ２１の空洞部ＬＰ２１ａ内に配置された状態の中部品ＭＰ２１の回りにある隙間に配置された状態とすることが可能である。中部品ＭＰ２２の空洞部ＭＰ２２ａへの小部品ＳＰ２４の挿入は、取付部ＭＰ２２ｂ（円柱状の孔）を通じて行うことができ、中部品ＭＰ２１の空洞部ＭＰ２１ａへの中部品ＭＰ２２と小部品ＳＰ２１およびＳＰ２２の挿入は、取付部ＭＰ２１ｂ（円柱状の孔）を通じて行うことができる。ちなみに、中部品ＭＰ２１の空洞部ＭＰ２１ａ内に配置された状態の中部品ＭＰ２２の周囲に余剰の隙間がある場合には、当該隙間に小部品ＳＰ２１〜ＳＰ２３のうちの１個が配置された状態とすることも可能である。また、大部品ＭＰ２１の空洞部ＭＰ２１ａ内に配置された状態の中部品ＭＰ２１の周囲に余剰の隙間がある場合には、当該隙間に小部品ＳＰ２１およびＳＰ２２のうちの１個が配置された状態とすることも可能である。
【００７３】
前述の１個の大部品ＬＰ２１と２個の中部品ＭＰ２１およびＭＰ２２と４個の小部品ＳＰ２１〜ＳＰ２４を用いて図１２（Ｂ）に示した連結形態を得るときには、例えば、図１１（Ｃ）に示したように、大部品ＬＰ２１を構成する部品ＤＰ２１およびＤＰ２２を分離して中部品ＭＰ２１と小部品ＳＰ２３を取り出し、中部品ＭＰ２１から中部品ＭＰ２２と小部品ＳＰ２１、ＳＰ２２およびＳＰ２４を取り出す。中部品ＭＰ２１およびＭＰ２２と小部品ＳＰ２１〜ＳＰ２４を取り出した後の部品ＤＰ２１およびＤＰ２２は、図１１（Ａ）および図１１（Ｂ）に示した連結前状態の大部品ＬＰ２１の形に戻す。
【００７４】
続いて、図１２（Ａ）に示したように、大部品ＬＰ２１の取付部ＬＰ２１ｃ（円柱状の凸部）に、中部品ＭＰ２１の取付部ＭＰ２１ｂ（円柱状の孔）を嵌め込んで連結する。また、中部品ＭＰ２１の取付部ＬＰ２１ｅ（円柱状の凸部）に、中部品ＭＰ２２の取付部ＭＰ２２ｂ（円柱状の孔）を嵌め込んで連結する。さらに、中部品ＭＰ２１の取付部ＭＰ２１ｃおよびＭＰ２１ｄ（円柱状の孔）に、小部品ＳＰ２３およびＳＰ２４の連結部ＳＰ２３ａおよびＳＰ２４ａ（円柱状の凸部）をそれぞれ嵌め込んで連結する。さらに、中部品ＭＰ２２の取付部ＭＰ２２ｃ（円柱状の孔）に、小部品ＳＰ２１の取付部ＳＰ２１ａ（円柱状の凸部）を嵌め込んで連結するとともに、中部品ＭＰ２２の取付部ＭＰ２２ｄ（円柱状の孔）に、小部品ＳＰ２２の取付部ＳＰ２２ａ（円柱状の凸部）を嵌め込んで連結する。図１２（Ａ）には、図１１（Ｃ）と同様に、中部品ＭＰ２１の前面部が右を向いているものを描いているため、図１２（Ｂ）に示したように、連結過程で中部品ＭＰ２２の連結向きを上から見て９０度変えて、小部品ＳＰ２２が中部品ＭＰ２２の前に来るようにする。
【００７５】
図示を省略したが、本実施の形態において、図１２（Ｂ）に示した連結形態は雪だるまを摸したものであるため、中部品ＭＰ２２の表面に鼻部（小部品ＳＰ２２）を除く目や口等を表す色付け箇所や凹凸等を設けることが好ましく、大部品ＬＰ２１と中部品ＭＰ２１と小部品ＳＰ２１〜ＳＰ２４の表面にも他と区別するための色付け箇所や凹凸等を設けることが好ましい。また、大部品ＬＰ２１の前に現れる縦線（部品ＤＰ２１およびＤＰ２２の境界線）を嫌う場合には、前記の色付け箇所や凹凸等の位置を予め変更しておくとともに、連結過程で大部品ＬＰ２１の連結向きを上から見て９０度変えるようにしてもよい。
【００７６】
このように、前述の連結玩具６０によれば、図１１（Ａ）および図１１（Ｂ）に示した連結前状態において、２個の中部品ＭＰ２１およびＭＰ２２のうちの一方の中部品ＭＰ２１の空洞部ＭＰ２１ａ内に他方の中部品ＭＰ２２と少なくとも３個の小部品ＳＰ２１、ＳＰ２２およびＳＰ２３が配置された状態とすることが可能であるため、大部品ＬＰ２１の空洞部ＬＰ２１ａに配置されることが可能な部品の数および大きさの制限を緩和することができる。すなわち、前述の連結玩具６０に適用した思想は、多種多様な連結形態を得る場合に極めて有用であり、連結玩具６０の興趣性を向上させることができる。
【００７７】
《第７実施形態》
図１３および図１４は第７実施形態に係る連結玩具７０に関するものであって、図１３（Ａ）および図１３（Ｂ）は連結前状態を示し、図１４（Ｂ）は連結後状態を示す。以下の説明では、便宜上、連結後状態を示す図１４（Ｂ）の手前側を前、奥側を後、左側を右、右側を左、上側を上、下側を下と表記し、図１３（Ａ）〜図１３（Ｃ）および図１４（Ａ）についてもこれらに準じて向きを表記する。
【００７８】
この連結玩具７０は、図１３に示した１個の大部品ＬＰ３１と２個の中部品ＭＰ３１およびＭＰ３２と２個の小部品ＳＰ３１およびＳＰ３２を備えており、図１３（Ａ）および図１３（Ｂ）に示した連結前状態から図１４（Ｂ）に示した連結後状態に変化させることにより、所定の形象物としてコーン型アイスクリームを摸した連結形態を得ることができる。
【００７９】
大部品Ｌ３１は、１段目のアイスクリーム部に相当するものであり、分離可能な３個の部品ＤＰ３１〜ＤＰ３３から成り、外観が球状を成し、球状の空洞部ＬＰ３１ａを内部に有し、円柱状の凸部から成る取付部ＬＰ３１ｂを下端部に有し、環状凸部から成る取付部ＬＰ３１ｃを上端部に有している。
【００８０】
２個の部品ＤＰ３１およびＤＰ３２は、半球状の空洞部ＤＰ３１ａおよびＤＰ３２ａを内部に有し、半円柱状の凸部から成る部位ＤＰ３１ｂおよびＤＰ３２ｂを下端部に有し、半環状凸部から成る部位ＤＰ３１ｃおよびＤＰ３２ｃを上端部に有しており、一方の部品ＤＰ３１の開放端に嵌め込み可能な環状凸部ＤＰ３２ｄを他方の部品ＤＰ３２の開放端に有している。すなわち、一方の部品ＤＰ３１の開放端に他方の部品ＤＰ３２の環状凸部ＤＰ３２ｃを嵌め込むことにより、空洞部ＤＰ３１ａおよびＤＰ３２ａによって空洞部ＬＰ３１ａが形成され、部位ＤＰ３１ｂおよびＤＰ３２ｂによって取付部ＬＰ３１ｂが形成され、部位ＤＰ３１ｃおよびＤＰ３２ｃによって取付部ＬＰ３１ｃが形成される。部品ＤＰ３３は、円柱状の凸部から成る嵌め込み部ＤＰ３３ａを下端部に有し、円柱状の孔から成る支持部ＤＰ３３ｂを上端部に有しており、嵌め込み部ＤＰ３３ａは大部品ＬＰ３１の取付部ＬＰ３１ｃに着脱可能に嵌め込むことができる。すなわち、部品ＤＰ３３は、大部品ＬＰ２１の取付部ＬＰ３１ｃを閉じる着脱可能な蓋部品である一方、連結後の連結玩具（図１４を参照）を支持可能な台座部品として使用可能である
【００８１】
２個の中部品ＭＰ３１およびＭＰ３２のうちの中部品ＭＰ３１は、２段目のアイスクリーム部に相当するものであり、外観が球状を成し、球状の空洞部ＭＰ３１ａを内部に有し、円柱状の孔から成る取付部ＭＰ３１ｂを下端部に有している。取付部ＭＰ３１ｂは、大部品ＬＰ３１の取付部ＬＰ３１ｃに着脱可能に嵌め込んで連結することができる。また、中部品ＭＰ３１は、円柱状の孔から成る取付部ＭＰ３１ｃを右面部に有している。
【００８２】
２個の中部品ＭＰ３１およびＭＰ３２のうちの中部品ＭＰ３２は、コーン上部に相当するものであり、外観が円錐台状を成し、円錐台状の空洞部ＭＰ３２ａを内部に有し、円柱状の孔から成る取付部ＭＰ３２ｂを上端部に有し、円柱状の孔から成る取付部ＭＰ３２ｃを下端部に有している。取付部ＭＰ３２ｂは、大部品ＬＰ３１の取付部ＬＰ３１ｂに着脱可能に嵌め込んで連結することができる。
【００８３】
２個の小部品ＳＰ３１およびＳＰ３２の小部品ＳＰ３１は、コーン下部に相当するものであり、外観が円錐台状を成し、円柱状の凸部から成る取付部ＳＰ３１ａを上端部に有し、円柱状の凸部から成る取付部ＳＰ３１ｂを下端部に有している。取付部ＳＰ３１ａは、中部品ＭＰ３２の取付部ＭＰ３２ｃに着脱可能に嵌め込んで連結することができ、取付部ＭＰ３１ｂは、部品ＤＰ３３の支持部ＤＰ３３ｂに着脱可能に嵌め込んで連結することができる。
【００８４】
２個の小部品ＳＰ３１およびＳＰ３２の小部品ＳＰ３２は、本実施形態においては、ウエハースやスプーン等に相当するものであり、円柱状の凸部から成る取付部ＳＰ３２ａを端部に有している。取付部ＳＰ３２ａは、中部品ＭＰ３１の取付部ＭＰ３１ｃに着脱可能に嵌め込んで連結することができる。
【００８５】
図１３（Ａ）および図１３（Ｂ）に示した連結前状態において、２個の中部品ＭＰ３１およびＭＰ３２のうちの中部品ＭＰ３１は、大部品ＬＰ３１の空洞部ＬＰ３１ａ内に配置された状態とすることが可能であり、中部品ＭＰ３２は、中部品ＭＰ３１の空洞部ＭＰ３１ａ内に配置された状態とすることが可能である。また、２個の小部品ＳＰ３１およびＳＰ３２のうちの小部品ＳＰ３１は、一部分が中部品ＭＰ３２の空洞部ＭＰ３２ａ内に配置された状態とすることが可能であり、他部分が中部品ＭＰ３２の空洞部ＭＰ３２ａ外であって中部品ＭＰ３１の空洞部ＭＰ３１ａ内に配置された状態とすることが可能である。さらに、２個の小部品ＳＰ３１およびＳＰ３２のうちの小部品ＳＰ３２は、中部品ＭＰ３１の空洞部ＭＰ３１ａ内に配置された状態とすることが可能である。中部品ＭＰ３２の空洞部ＭＰ３２ａへの小部品ＳＰ３１の挿入は、取付部ＭＰ３２ｂ（円柱状の孔）を通じて行うことができ、中部品ＭＰ３１の空洞部ＭＰ３１ａへの中部品ＭＰ３２と小部品ＳＰ３２の挿入は、取付部ＭＰ３１ｂ（円柱状の孔）を通じて行うことができる。ちなみに、中部品ＭＰ３１の空洞部ＭＰ１１ａ内に配置された状態の中部品ＭＰ３２の周囲または中部品ＭＰ１２の空洞部ＭＰ１２ａに余剰の隙間がある場合には、当該隙間に小部品ＳＰ３２が配置された状態とすることが可能である。
【００８６】
前述の１個の大部品ＬＰ３１と２個の中部品ＭＰ３１およびＭＰ３２と２個の小部品ＳＰ３１およびＳＰ３２を用いて図１４（Ｂ）に示した連結形態を得るときには、例えば、図１３（Ｃ）に示したように、大部品ＬＰ３１を構成する部品ＤＰ３１〜ＤＰ３３を分離して中部品ＭＰ３１を取り出し、中部品ＭＰ３１を上下反転させて当該中部品ＭＰ３１から小部品ＳＰ３２と中部品ＭＰ３２を取り出し、中部品ＭＰ３２から小部品ＳＰ３１を取り出す。中部品ＭＰ３１およびＭＰ３２と小部品ＳＰ３１およびＳＰ３２を取り出した後の部品ＤＰ３１およびＤＰ３２（部品ＤＰ３３を除く）は、図１１（Ａ）および図１１（Ｂ）に示した連結前状態の大部品ＬＰ３１の形に戻す。
【００８７】
続いて、図１４（Ａ）に示したように、大部品ＬＰ３１の取付部ＬＰ３１ｃ（環状凸部）に、中部品ＭＰ３１の取付部ＭＰ３１ｂ（円柱状の孔）を嵌め込んで連結する。また、大部品ＬＰ３１の取付部ＬＰ３１ｂ（円柱状の凸部）に、中部品ＭＰ３２の取付部ＭＰ３２ｂ（円柱状の孔）を嵌め込んで連結し、中部品ＭＰ３２の取付部ＭＰ３２ｃ（円柱状の孔）に、小部品ＳＰ３１の取付部ＳＰ３１ａ（円柱状の凸部）を嵌め込んで連結する。さらに、中部品ＭＰ３１の取付部ＭＰ３１ｃ（円柱状の孔）に、小部品ＳＰ３２の取付部ＳＰ３２ａ（円柱状の凸部）を嵌め込んで連結する。さらに、台座部品として使用可能な部品ＤＰ３３の支持部ＤＰ３３ｂ（円柱状の孔）を、小部品ＳＰ３１の取付部ＳＰ３１ｂ（円柱状の凸部）に嵌め込んで連結する。
【００８８】
図示を省略したが、本実施の形態においては、図１４（Ｂ）に示した連結形態はコーン型アイスクリームを摸したものであるため、大部品ＬＰ３１と中部品ＭＰ３１と中部品ＭＰ３２および小部品ＳＰ３１と小部品ＳＰ３２は異なる色を有することが好ましく、台座部品となる部品ＤＰ３３もこれらと異なる色を有することが好ましく、アイスクリーム部に相当する大部品ＬＰ３１と中部品ＭＰ３１の表面にアイスクリーム相応の色付け箇所や凹凸等を設けることが好ましく、コーン部に相当する中部品ＭＰ３２および小部品ＳＰ３１の表面にコーン相応の色付け箇所や凹凸等を設けることが好ましい。また、大部品ＬＰ３１の前に現れる縦線（部品ＤＰ３１およびＤＰ３２の境界線）を嫌う場合には、連結過程で大部品ＬＰ３１の連結向きを上から見て９０度変えるようにしてもよい。
【００８９】
このように、前述の連結玩具７０によれば、図１３（Ａ）および図１３（Ｂ）に示した連結前状態において、２個の中部品ＭＰ３１およびＭＰ３２のうちの一方の中部品ＭＰ３１の空洞部ＭＰ３１ａに他方の中部品ＭＰ３２と２個の小部品ＳＰ３１およびＳＰ３２が配置された状態とすることができるため、大部品ＬＰ３１の空洞部ＬＰ３１ａに配置されることが可能な部品の数および大きさの制限を緩和することができる。すなわち、前述の連結玩具７０に適用した思想は、多種多様な連結形態を得る場合に極めて有用であり、連結玩具７０の興趣性を向上させることができる。
【００９０】
《第８実施形態》
図１５および図１６は第８実施形態に係る連結玩具８０に関するものであって、図１５（Ａ）および図１５（Ｂ）は連結前状態を示し、図１６（Ｂ）は連結後状態を示す。以下の説明では、便宜上、連結後状態を示す図１６（Ｂ）の手前側を前、奥側を後、左側を右、右側を左、上側を上、下側を下と表記し、図１５（Ａ）〜図１５（Ｃ）および図１６（Ａ）についてもこれらに準じて向きを表記する。
【００９１】
この連結玩具８０は、図１５に示した１個の大部品ＬＰ４１と１個の中部品ＭＰ４１と２個の小部品ＳＰ４１およびＳＰ４２を備えており、図１５（Ａ）および図１５（Ｂ）に示した連結前状態から図１６（Ｂ）に示した連結後状態に変化させて所定の形象物として家屋を摸した連結形態を得ることができる。
【００９２】
大部品Ｌ４１は、家屋の屋根を除く部分に相当するものであり、分離可能な２個の部品ＤＰ４１およびＤＰ４２から成り、外観が円柱状を成し、円柱状の空洞部ＬＰ４１ａを内部に有し、円柱状の凸部から成る取付部ＬＰ４１ｂを上端部に有している。また、大部品Ｌ４１の表面には、玄関ドアに相当する可動部ＬＰ４１ｃが開け閉めを擬似的に行えるように設けられている。さらに、大部品ＬＰ４１は、円柱状の孔から成る取付部ＭＰ４１ｄを左面部に有している。
【００９３】
２個の部品ＤＰ４１およびＤＰ４２は、外観が半円柱状を成し、半円柱状の空洞部ＤＰ４１ａおよびＤＰ４２ａを内部に有し、半円柱状の凸部から成る部位ＤＰ４１ｂおよびＤＰ４２ｂを上端部に有しており、一方の部品ＤＰ４１の開放端に嵌め込み可能な矩形状凸部ＤＰ４２ｃを他方の部品ＤＰ４２の開放端に有している。すなわち、一方の部品ＤＰ４１の開放端に他方の部品ＤＰ４２の矩形状凸部ＤＰ４２ｃを嵌め込むことにより、空洞部ＤＰ４１ａおよびＤＰ４２ａによって空洞部ＬＰ４１ａが形成され、部位ＤＰ４１ｂおよびＤＰ４２ｂによって取付部ＬＰ４１ｂが形成される。
【００９４】
中部品ＭＰ４１は、家屋の屋根に相当するものであり、外観が円錐状を成し、円錐状の空洞部ＭＰ４１ａを内部に有し、円柱状の孔から成る取付部ＭＰ４１ｂを下端部に有している。取付部ＭＰ４１ｂは、大部品ＬＰ４１の取付部ＬＰ４１ｂに着脱可能に嵌め込んで連結することができる。また、中部品ＭＰ４１は、円柱状の孔から成る取付部ＭＰ４１ｃを右面部に有している。
【００９５】
２個の小部品ＳＰ４１およびＳＰ４２のうちの小部品ＳＰ４１は、煙突に相当するものであり、外観が円柱状を成し、円柱状の凸部から成る取付部ＳＰ４１ａを端部に有している。取付部ＳＰ４１ａは、中部品ＭＰ４１の取付部ＭＰ４１ｃに着脱可能に嵌め込んで連結することができる。
【００９６】
２個の小部品ＳＰ４１およびＳＰ４２のうちの小部品ＳＰ４２は、人間に相当するものであり、円柱状の凸部から成る取付部ＳＰ４２ａを側部に有している。取付部ＳＰ４２ａは、大部品ＬＰ４１の取付部ＭＰ４１ｄに着脱可能に嵌め込んで連結することができる。
【００９７】
図１５（Ａ）および図１５（Ｂ）に示した連結前状態において、中部品ＭＰ４１は、大部品ＬＰ４１の空洞部ＬＰ４１ａ内に配置された状態とすることが可能である。また、２個の小部品ＳＰ４１およびＳＰ４２のうちの小部品ＳＰ４１は、大部品ＬＰ４１の空洞部ＬＰ４１ａ内に配置された状態の中部品ＭＰ４１の回りにある隙間に配置された状態とすることが可能である。さらに、２個の小部品ＳＰ４１およびＳＰ４２のうちの小部品ＳＰ４２は、一部分が中部品ＭＰ４１の空洞部ＭＰ４１ａ内に配置された状態とすることが可能であり、他部分が中部品ＭＰ４１の空洞部ＭＰ４１ａ外であって大部品ＬＰ４１の空洞部ＬＰ４１ａ内に配置された状態とすることが可能である。中部品ＭＰ４１の空洞部ＭＰ４１ａへの小部品ＳＰ４２の挿入は、取付部ＭＰ４１ｂ（円柱状の孔）を通じて行うことができる。ちなみに、大部品ＬＰ４１の空洞部ＬＰ４１ａ内に配置された状態の中部品ＭＰ４１の空洞部ＭＰ４１ａに余剰の隙間がある場合には、当該隙間に小部品ＳＰ４１が配置された状態とすることが可能である。
【００９８】
前述の１個の大部品ＬＰ４１と１個の中部品ＭＰ４１と２個の小部品ＳＰ４１およびＳＰ４２を用いて図１６（Ｂ）に示した連結形態を得るときには、例えば、図１５（Ｃ）に示したように、大部品ＬＰ４１を構成する部品ＤＰ４１およびＤＰ４２を分離して中部品ＭＰ４１と小部品ＳＰ４１を取り出し、中部品ＭＰ４１を上下反転させて当該中部品ＭＰ４１から小部品ＳＰ４２を取り出す。中部品ＭＰ４１と小部品ＳＰ４１およびＳＰ４２を取り出した後の部品ＤＰ４１およびＤＰ４２は、図１５（Ａ）および図１５（Ｂ）に示した連結前状態の大部品ＬＰ４１の形に戻す。
【００９９】
続いて、図１６（Ａ）に示したように、大部品ＬＰ４１の取付部ＬＰ４１ｂ（円柱状の凸部）に、中部品ＭＰ４１の取付部ＭＰ４１ｂ（円柱状の孔）を嵌め込んで連結する。また、中部品ＭＰ４１の取付部ＭＰ４１ｃ（円柱状の孔）に、小部品ＳＰ４１の取付部ＳＰ４１ａ（円柱状の凸部）を嵌め込んで連結する。さらに、大部品ＬＰ４１の取付部ＬＰ４１ｄ（円柱状の孔）に、小部品ＳＰ４２の取付部ＳＰ４２ａ（円柱状の凸部）を嵌め込んで連結する。ちなみに、大部品Ｌ４１の表面に設けられた玄関ドアに相当する可動部ＬＰ４１ｃは、図１６（Ｂ）に示した連結形態において開け閉めを擬似的に行える。
【０１００】
図示を省略したが、本実施の形態においては、図１６（Ｂ）に示した連結形態は家屋を摸したものであるため、大部品ＬＰ４１と中部品ＭＰ４１と小部品ＳＰ４１は異なる色を有することが好ましく、人間を摸した小部品ＳＰ４２の表面に目や鼻や口等を表す色付け箇所や凹凸等を設けることが好ましい。
【０１０１】
このように、前述の連結玩具８０によれば、図１５（Ａ）および図１５（Ｂ）に示した連結前状態において、中部品ＭＰ４１の空洞部ＭＰ４１ａ内に小部品ＳＰ４２の少なくとも一部分が配置された状態とすることが可能であるため、大部品ＬＰ４１の空洞部ＬＰ４１ａ内に配置された状態とする可能な部品の数および大きさの制限を緩和することができる。すなわち、前述の連結玩具８０に適用した思想は、多種多様な連結形態を得る場合に極めて有用であり、連結玩具８０の興趣性を向上させることができる。
【０１０２】
なお、図示を省略したが、前述の連結玩具８０における大部品ＬＰ４１の外観を４角柱等の多角柱状とし、これに併せて中部品ＭＰ４１の外観を４角柱等の多角錐状としてもよい。
【０１０３】
《他の実施形態》
（１）前述の第１実施形態〜第８実施形態には、大部品が１個、中部品が１個、小部品が複数個のものと、大部品が１個、中部品が複数個、小部品が複数個のものを例示したが、小部品が複数個の場合の個数と中部品が複数個の場合の個数は、中部品および小部品の全てが大部品の空洞部内に配置された状態とすることが可能であればその数に特段の制限はなく、適宜増減可能である。
【０１０４】
（２）前述の第１実施形態〜第８実施形態には、所定の形象物としてキャラクター等を摸した連結形態を得られるものと、雪だるまを摸した連結形態が得られるものと、コーン型アイスクリームを摸した連結形態が得られるものと、家屋を摸した連結形態が得られるものを例示したが、大部品、中部品および小部品の外形を変化させたり、中部品および小部品の個数を変化させたりすることにより、これら以外の形象物の連結形態を得ることも可能である。
【０１０５】
（３）前述の第１実施形態〜第８実施形態には、大部品、中部品および小部品に設けた取付部として孔および凸部の着脱可能な嵌め合いを利用したものを例示したが、孔は非貫通の穴であってもよく、着脱可能に連結することが可能であれば孔（穴）および凸部と異なるものを取付部として用いて連結することも可能である。
【０１０６】
（４）前述の第１実施形態〜第８実施形態には、中部品に複数個の小部品の取付部に対応した被取付部を設けたものと、大部品に複数個の小部品の一部の取付部に対応した被取付部を設け、かつ、中部品に複数個の小部品の他部の取付部に対応した被取付部を設けたものを示したが、第１実施形態〜第８実施形態とは異なる連結形態を得る場合において大部品に複数個の小部品の取付部それぞれに対応した被取付部を設けてもよい。大部品に複数個の小部品の一部の取付部に対応した被取付部を設け、かつ、中部品に複数個の小部品の他部の取付部に対応した被取付部を設ける場合には、大部品の被取付部の大きさは、中部品の被取付部の大きさよりも小さくしておくことが望ましい。例えば、被取付部が孔（穴）で形成されている場合は、大部品の被取付部の孔（穴）の面積が中部品の被取付部孔（穴）の面積よりも小さく形成することが望ましい。そのように形成することにより、大部品内の空洞部に小部品が配置された状態として場合においてはも、小部品が大部品外に出ていくことが抑制され、また、所定の形象物を表す形態が得られる前の状態（連結前状態）における連結玩具の見映えを向上させることも可能となる。
【０１０７】
（５）前述の第１実施形態〜第８実施形態の連結玩具は、所定の形象物を表す形態が得られる前の状態（連結前状態）は、転動が可能な形態であれば、球状、円柱状、多角柱状でなくてもよい。転動可能な形態とすることで、例えば、自動販売機で販売可能な形態とすることが可能となる。
【０１０８】
（６）前述の第１実施形態〜第８実施形態の連結玩具の連結前状態においては、全体を合成樹脂製の透明フィルム等で覆ってもよい。例えば、透明フィルムで覆っておくことにより、自動販売機で販売する際に自動販売機の収容部内で他の連結玩具と接触したとしても、連結玩具の大部品の損傷を抑制することが可能となる。
【０１０９】
（７）前述の第１実施形態〜第８実施形態の連結玩具を自動販売機で販売しない場合には、転動可能な形態とする必要はないが、形態変化における興趣性の向上という観点においては、所定の形象物を表す形態が得られる前の状態（連結前状態）の形態として、直方体等の幾何学的な立体形状をとるようにすることが望ましい。連結前状態の形態を幾何学的な立体形状とすることで、連結玩具は、幾何学的な立体形状から所定の形象物を表す形状へと形態変化することが可能となり、連結玩具の形態変化による興趣性を向上させることができる。
【符号の説明】
【０１１０】
１０，２０，３０，４０，５０，６０，７０，８０…連結玩具、ＬＰ１１，ＬＰ２１，ＬＰ３１，ＬＰ４１…大部品、ＭＰ１１，ＭＰ１２，ＭＰ２１，ＭＰ２２，ＭＰ３１，Ｍ３２，ＭＰ４１…中部品、ＳＰ１１〜ＳＰ１４，ＳＰ２１〜ＳＰ２４，ＳＰ３１，ＳＰ３２，ＳＰ４１，ＳＰ４２…小部品。
【図１】
2020074872.tif 000003
【図２】
2020074872.tif 000004
【図３】
2020074872.tif 000005
【図４】
2020074872.tif 000006
【図５】
2020074872.tif 000007
【図６】
2020074872.tif 000008
【図７】
2020074872.tif 000009
【図８】
2020074872.tif 000010
【図９】
2020074872.tif 000011
【図１０】
2020074872.tif 000012
【図１１】
2020074872.tif 000013
【図１２】
2020074872.tif 000014
【図１３】
2020074872.tif 000015
【図１４】
2020074872.tif 000016
【図１５】
2020074872.tif 000017
【図１６】
2020074872.tif 000018